(57)【要約】【課題】表裏いずれの面を着用しても違和感のない完全リバーシブルの１枚仕立ての衣服を提供する。【解決手段】表裏異色、または異なる柄に染められた布帛、あるいは表裏異なる組織をもつ布帛を、表裏の全面が完全に同色、または同柄、あるいは同組織に統一された１枚仕立てに縫製されていることを特徴とする衣服。【選択図】図１
2006002311.tif 000002
【特許請求の範囲】
【請求項１】
表裏異色、または異なる柄に染められた布帛、あるいは表裏異なる組織をもつ布帛を、表裏の全面が完全に同色、または同柄、あるいは同組織に統一された１枚仕立てに縫製されていることを特徴とする衣服。
【請求項２】
衣服開口部の生地端を表側に２回折り曲げ、折り曲げた端面に沿って裏側に折り返した端部構造を有することを特徴とする請求項１に記載の衣服。
【請求項３】
衣服開口部の端部を１本の縫目で縫着していることを特徴とする請求項１または２に記載の衣服。
【請求項４】
衣服開口部に、表面と裏面を中央で縫い合わせた細幅の別布を縫い付けたことを特徴とする請求項１に記載の衣服。
【請求項５】
布帛に撥水加工が施されていることを特徴とする請求項１から４のいずれかに記載の衣服。
【請求項６】
布帛に制電加工が施されていることを特徴とする請求項１から５のいずれかに記載の衣服。
【請求項７】
表裏異色、異なる柄に染められた布帛、あるいは表裏異なる組織をもつ布帛を、表裏の全面が完全に同色、または同柄、あるいは同組織に統一された１枚仕立てに縫製されていることを特徴とする和装品。
【発明の詳細な説明】
【技術分野】
【０００１】
本発明は表裏いずれの面を着用しても違和感のない完全リバーシブルの１枚仕立ての衣服に関するものである。
【背景技術】
【０００２】
従来の衣服は、１枚の衣服を表裏の両面着用しようとする場合、表と裏の２種類の布帛を準備し、端部をそれぞれ縫い合わせることによりリバーシブルの衣服を得るものであった。また、別の方法では、リバーシブル用の二層構造の布帛を用い、２層を結合する糸を端面から縫代分量解いて処理し、１枚仕立てのリバーシブル衣服を得るものであった。いずれの場合も、生地の厚さ、衣服の重量が増加するため、気候によっては暑すぎて着用できない時期があった。また、衣服がかさばるため旅行や外出などに携帯し、必要な時に着用することもできなかった。
【０００３】
一方、リバーシブルを主眼においた衣服の従来技術としては、表裏が異種の意匠からなり、裏返して意匠変更できる組み立て式衣服が提案されているが（例えば、特許文献１参照）、この衣服は、身頃、袖、前覆い部が相互に分割および接続が自在となるようにファスナー、ホック等の係止具を有するもので、縫製工程が複雑で着用の際も係止具部分に違和感があったり、係止具で生地や皮膚を傷つける可能性があった。
【０００４】
また、表裏に異なる機能を有する糸を用いた二重層生地の着物が提案されているが（例えば、特許文献２参照）、この着物は、裏に吸湿性の高い綿糸、表に染色性や寸法安定性に優れたポリエステル糸を用いた二層構造の布帛を用いているだけで、裏返して着用できるリバーシブル構造とはなっていない。
【０００５】
一方、表裏２種類の布帛を縫い合わせた両面着用着物が提案され（例えば、特許文献３参照）、また、表裏２種類の布帛の間に別布を挟み込んだリバーシブル着物が提案されている（例えば、特許文献４参照）。しかしながら、どちらも表裏２枚の生地を使用するため、重量や厚さが増し、春夏など気候によっては暑すぎて着用できない時期があった。
【特許文献１】実開昭６０−７８８０７号公報
【特許文献２】特開平１０−３７００８号公報
【特許文献３】実開昭６３−１４３５１１号公報
【特許文献４】実開昭６２−４６６０６号公報
【発明の開示】
【発明が解決しようとする課題】
【０００６】
本発明は、上述した従来技術における問題点の解決を課題として検討した結果、達成されたものである。
【０００７】
従って、本発明の目的は、表裏いずれの面を着用しても違和感のない完全リバーシブルの１枚仕立ての衣服を提供することにある。
【課題を解決するための手段】
【０００８】
上記目的を達成するために本発明は以下の構成を採用する。すなわち、
（１）表裏異色、または異なる柄に染められた布帛、あるいは表裏異なる組織をもつ布帛を、表裏の全面が完全に同色、または同柄、あるいは同組織に統一された１枚仕立てに縫製されていることを特徴とする衣服。
【０００９】
（２）衣服開口部の生地端を表側に２回折り曲げ、折り曲げた端面に沿って裏側に折り返した端部構造を有することを特徴とする前記（１）に記載の衣服。
【００１０】
（３）衣服開口部の端部を１本の縫目で縫着していることを特徴とする前記（１）または（２）に記載の衣服。
【００１１】
（４）衣服開口部に、表面と裏面を中央で縫い合わせた細幅の別布を縫い付けたことを特徴とする前記（１）に記載の衣服。
【００１２】
（５）布帛に撥水加工が施されていることを特徴とする前記（１）から（４）のいずれかに記載の衣服。
【００１３】
（６）布帛に制電加工が施されていることを特徴とする前記（１）から（５）のいずれかに記載の衣服。
【００１４】
（７）表裏異色、異なる柄に染められた布帛、あるいは表裏異なる組織をもつ布帛を、表裏の全面が完全に同色、または同柄、あるいは同組織に統一された１枚仕立てに縫製されていることを特徴とする和装品。
【発明の効果】
【００１５】
本発明によれば、以下に説明するとおり、表裏いずれの面を着用しても違和感のない完全リバーシブルの１枚仕立ての衣服を得ることができるため、経済的にも意匠的にも飛躍的に向上するものであり、特に季節の変わり目などの衣服として利用価値が大きいものである。
【発明を実施するための最良の形態】
【００１６】
以下、本発明の衣服について、一態様を示す図面を参照しつつ詳細に説明する。
【００１７】
図１は、本発明の衣服の一態様を示す正面図、図２、図３、図４は、本発明の衣服の端面の一態様を示す断面図である。
【００１８】
本発明の衣服は、表裏異色、または異なる柄に染められた布帛、あるいは表裏異なる組織をもつ布帛を、表裏の全面が完全に同色、または同柄、あるいは同組織に統一された１枚仕立てに縫製されていることを特徴とするものである。
【００１９】
本発明の衣服に使用する布帛は、表と裏が異なった色や柄に染色された、あるいは異なった織物組織をもつものを使用する。表と裏は必ず染色（白色も含む）されており、染色とは１色の無地染でも柄がプリントされていてもいい。また、表と裏の組織が異なっていてもよい。例えば、表がツイル、裏が平織りにすると表裏が異なるイメージとなるため異色染と同じ効果が得られる。
【００２０】
本発明の衣服の形態については特に制限はなく、例えば図１に示したように、和装品に適用することもできる。本発明の和装品としては、着物、長襦袢、コートなどの衣料品や、バッグや風呂敷のような小物のものにも適用できる。
【００２１】
本発明の衣服の端面は図２に示すように、衣服開口部例えば袖口３や裾４の生地端を表側１に２回折り曲げ、折り曲げた端面５に沿って裏側２に折り返し、縫目６で押さえるようにしたものである。この時の縫目６の本数は、折り返し幅Ｗに応じて適宜設定することができ、図３に示すように１本あるいは図２に示すように２本、もしくはそれ以上であっても良い。中でも作業性の面から、折り返し幅Ｗを０．５〜２ｃｍとし、１本のミシン縫目で止めるのがより好ましい。
【００２２】
また、表裏の全面を完全に同色、同柄あるいは同組織に統一されるものである。すなわち、表面からみて裏の色柄が見えない、裏に返しても同様に表の色柄が全く見えないようにしたものである。表面と裏面を全く同じ見た目にするためには、図４に示すように、使用する布帛を表面、裏面夫々２〜８ｃｍ幅の細長いテープ状に裁断し、表面１と裏面２を縫い合わせ別布７とし、生地端部をくるんでもよい。夫々のテープの幅は作業性や仕上がりの審美性の点で３〜５ｃｍとするのがより好ましい。この縫い合わせた別布７の長辺端面を図５に示すように、例えば０．５〜１ｃｍ内側に折り曲げ、衣服本体の生地端面に合わせて縫目６で止める。このとき、衣服本体の表面と別布７の表面を同じ面にし、衣服本体の裏面と別布７の裏面を同じ面にすることにより、表裏の全面を完全に同色に統一することができる。
【００２３】
端部以外の縫い合わせは、図６に示すように、縫い合わせる部分を１枚は内側に、もう１枚は外側に例えば１ｃｍ程度折り、ミシンで縫い合わせる折り伏せ縫いと呼ばれる縫い方とすることにより、縫い代部分も表裏完全に同じにすることができる。
【００２４】
本発明は、１枚仕立てに縫製されている。１枚仕立てとは１枚の布で仕立てたものであり、裏地がないものを１枚仕立てあるいは単衣と呼ぶ。１枚の布の表と裏をそれぞれ異色に染めるには、（１）１枚の布の表と裏を２回プリントする、（２）２種類の素材を使用してそれぞれの染色方法で片方づつ染色する方法などがある。
【００２５】
本発明における衣服は、洋装品、和装品のどちらでも良い。衣服の種類としては、コートやジャケットなどの上衣、スカートやパンツなどの下衣いずれにおいても適用できるものである。着用方法としては、例えば午前中にお葬式があり、午後には買い物に出かける、といった外出時に、表面が黒色、裏面が赤色の本発明によるコートを着用すると、午前中は表面を、午後には裏面を表に出して着用することにより、ＴＰＯに合った服装ができる。また、表裏の色を変えることにより、裏面が少し見えた時でも大変おしゃれに着こなすことができる。
【００２６】
また、本発明の衣服に用いる布帛に撥水加工や制電加工を施すことにより、降雨時や乾燥した冬期でも着用快適性に優れる。
【００２７】
本発明の撥水処理に用いられる撥水剤としては、シリコーン系撥水剤、フッ素系撥水剤等、通常の撥水剤を用いることができるが、耐久性の面からフッ素系撥水剤が好ましく、中でもペルフルオロアルキル基含有アクリル共重合体を含むフッ素系撥水剤が好ましい。
【００２８】
本発明の衣服に用いる布帛に施す撥水処理方法については、特に限定されるものではない。布帛の全面に撥水剤を付与する場合は、パディング法、スプレー法、コーティング法などを採用することができ、中でも撥水剤を含む加工液に布帛を含浸させた後、一定の絞り率によってマングルで絞る方法が好ましい。
【００２９】
本発明の衣服に用いる布帛に、燐酸エステル塩、第４級アンモニウム塩、ポリエチレングリコールなどを含む制電性を有する化合物、または熱反応型水溶性ウレタンプレポリマーなどを付与することにより、制電性を付与することができる。
【００３０】
制電剤を付与する場合は、パディング法、スプレー法、コーティング法などを採用することができ、中でも制電剤を含む加工液に布帛を含浸させた後、一定の絞り率によってマングルで絞る方法が好ましい。
本発明で得られる衣服は、一枚仕立てなので軽くてかさばらないため、例えば梅雨時の外出や、朝夕の気温差の激しい春秋でもかばんに入れて携帯し、必要な時に着用できるので大変重宝する衣服となる。
【実施例】
【００３１】
以下、本発明の衣服について実施例および比較例をあげてさらに具体的に説明する。
【００３２】
実施例および比較例に用いた衣服の審美性（外観）、可縫性（縫いやすさ）、経済性の評価基準を表１に、また、衣服端部の縫製方法と衣服を評価した結果を表２に示す。
【００３３】
実施例１
ポリエステル１００％の表裏異色に染めた撥水加工を施したコート地を使い、次の方法で和装用コートに縫製した。
（１）左右後身頃の背縫い、前身頃と後身頃を縫い合わせる脇縫いは、折り伏せ縫いで縫い合わせる。
（２）表と裏を前端で接ぎ合わせた衽を左右前身頃に縫い付ける。
（３）袖口端に裏の色と同じ生地でできた袖口布を縫い付けた左右袖を身頃に縫い付ける。
（４）表と裏を衿端で接ぎ合わせた衿を身頃に縫い付ける。
（５）裾を表側に１ｃｍ幅で２回折り曲げ、折り曲げ端面に沿って裏側に折り返してミシンで縫い和装用コートに仕上げた。
【００３４】
こうして得られた和装用コートの審美性（外観）、可縫性（縫いやすさ）、経済性を評価した結果を表２に示す。
【００３５】
実施例２
ポリエステル１００％の表裏異色に染めた着物地を使い、次の方法で着物に縫製した。
（１）左右後身頃の背縫い、前身頃と後身頃を縫い合わせる脇縫いは、折り伏せ縫いで縫い合わせる。
（２）衽を左右前身頃に折り伏せ縫いで縫い付ける。
（３）袖口端に表面と裏面を接ぎ合わせた３ｃｍ幅の別布を縫い付けた左右袖を身頃に縫い付ける。
（４）表と裏を衿端で接ぎ合わせた衿を身頃に縫い付ける。
（５）裾に表面と裏面を接ぎ合わせた３ｃｍ幅の別布を各々１ｃｍ内側に折り、ミシンで縫い着物に仕上げた。
【００３６】
こうして得られた着物の審美性（外観）、可縫性（縫いやすさ）、経済性を評価した結果を表２に示す。
【００３７】
実施例３
ポリエステル６５％綿３５％の表裏異色に染めた綾織物を使い、次の方法で婦人用コートに縫製した。
（１）前身頃と後身頃を折り伏せ縫いで肩を縫い合わせる。
（２）表と裏を前端で接ぎ合わせた衽を左右前身頃に縫い付ける。
（３）袖口端を表側に２ｃｍ幅で２回折り曲げ、折り曲げ端面に沿って裏側に折り返してミシンで縫った袖を身頃に折り伏せ縫いで縫い付ける。
（４）表と裏を衿端で接ぎ合わせた衿を身頃に縫い付ける。
（５）袖口から脇を折り伏せ縫いで縫い合わせる。
（６）裾を表側に２ｃｍ幅で２回折り曲げ、折り曲げ端面に沿って裏側に折り返してミシンで２本縫い婦人用コートに仕上げた。
【００３８】
こうして得られた婦人用コートの審美性（外観）、可縫性（縫いやすさ）、経済性を評価した結果を表２に示す。
【００３９】
実施例４
綿１００％の表裏異色に染めた平織物を使い、次の方法で婦人用スカートに縫製した。
（１）左脇にヘッドが表裏に回転するファスナーを縫い付ける。
（２）右脇を折り伏せ縫いで縫い合わせる。
（３）表面と裏面を中央で接ぎ合わせた８ｃｍ幅の別布に芯地を貼り付けたベルト布をスカート上端に縫い付ける。
（４）裾を表側に０．５ｃｍ幅で２回折り曲げ、折り曲げ端面に沿って裏側に折り返してミシンで縫い婦人用スカートに仕上げた。
【００４０】
こうして得られたスカートの審美性（外観）、可縫性（縫いやすさ）、経済性を評価した結果を表２に示す。
【００４１】
比較例１
ポリエステル１００％の表裏異色に染めた着物地を使い、次の方法で着物に縫製した。
（１）左右前後身頃を背縫い、脇線で縫い合わせる。
（２）左右前身頃に左右衽布を縫いつける。
（３）左右袖を身頃の袖付け位置に縫い付ける。
（４）身頃に衿を縫いつける。
（５）裾、袖口を１ｃｍ幅に折り返し、手でくける。
（６）脇、衽の縫い代を１ｃｍ内側に折り、手でまつりつけた。
【００４２】
こうして得られた着物の審美性（外観）、可縫性（縫いやすさ）、経済性を評価した結果を表２に示す。
【００４３】
比較例２
ポリエステル１００％の表裏異色に染めたコート地を使い、次の方法で和装用コートに縫製した。
（１）左右後身頃の背縫い、前身頃と後身頃を縫い合わせる脇縫いは、折り伏せ縫いで縫い合わせる。
（２）表と裏を前端で接ぎ合わせた衽を左右前身頃に縫い付ける。
（３）袖口端に裏の色と同じ生地でできた袖口布を縫い付けた左右袖を身頃に縫い付ける。
（４）表と裏を衿端で接ぎ合わせた衿を身頃に縫い付ける。
（５）裾を表側に５ｃｍ幅で２回折り曲げ、折り曲げ端面に沿って裏側に折り返してミシンで縫い和装用コートに仕上げた。
【００４４】
こうして得られた着物の審美性（外観）、可縫性（縫いやすさ）、経済性を評価した結果を表２に併記した。
【００４５】
比較例３
絹１００％の着物地を２枚使い、次の方法でリバーシブル着物に縫製した。
（１）１枚の着物地を用い、左右前後身頃を背縫い、脇線で縫い合わせる。
（２）左右前身頃に左右表衽布を縫いつける。
（３）左右袖を表身頃に縫い付ける。
（４）もう１枚の着物も同様に（１）〜（３）の工程で縫い上げる。
（５）２枚の袖口、裾を全て１ｃｍの縫い代で縫い合わせる。
（６）表と裏を衿端で接ぎ合わせた衿を２枚の着物を縫い合わせた身頃に縫い付ける。
【００４６】
こうして得られた着物の審美性（外観）、可縫性（縫いやすさ）、経済性を評価した結果を表２に併記した。
【００４７】
【表１】
2006002311.tif 000003
【００４８】
【表２】
2006002311.tif 000004
【図面の簡単な説明】
【００４９】
【図１】本発明の衣服の一態様を示す正面図である。
【図２】本発明の衣服の端面の一態様を示す断面図である。
【図３】本発明の衣服の端面の他の態様を示す断面図である。
【図４】本発明の衣服の端面に使用する別布の一態様を示す図である。
【図５】本発明の衣服の端面に別布を縫着した断面図である。
【図６】本発明の衣服の縫い合わせの一態様を示す断面図である。
【符号の説明】
【００５０】
１：表面
２：裏面
３：衣服開口部（袖口）
４：衣服開口部（裾）
５：端面
６：縫目
７：別布
Ｗ：折り返し幅
【図１】
2006002311.tif 000005
【図２】
2006002311.tif 000006
【図３】
2006002311.tif 000007
【図４】
2006002311.tif 000008
【図５】
2006002311.tif 000009
【図６】
2006002311.tif 000010